(57)【特許請求の範囲】
【請求項１】
キッチンのワークトップの後端部の上方に設けられ、かつ構造材に固定されるシステムバックガードであって、
前記構造材に固定可能で、かつ前記構造材に固定された状態で前記構造材とは反対側に位置する表面に溝を有するバックガード本体部を備え、
前記溝は、電源コンセントを前記溝の内部に配置可能に構成されており、さらに
前記電源コンセントが配置された部分以外の前記溝の部分を覆うように前記バックガード本体部に取付け可能な溝カバーを備え、
前記電源コンセントにつながる電源ケーブルが前記溝内に挿通可能なように前記溝が構成されており、
前記電源ケーブルを前記バックガード本体部の内部に設けられた縦穴を通して前記溝内から前記ワークトップの下方側へ引き回すことができるように前記バックガード本体部が構成されている、システムバックガード。
【請求項２】
前記バックガード本体部を前記構造材に固定するための固定部材をさらに備え、
前記溝は前記固定部材を取り付けるための溝である、請求項１に記載のシステムバックガード。
【請求項３】
前記溝は、前記バックガード本体部の一方側端部から他方側端部へ連続的に延びるように形成されている、請求項１または２に記載のシステムバックガード。
【請求項４】
前記縦穴内に配置された、前記電源ケーブルを保護するための保護チューブをさらに備えた、請求項１〜３のいずれかに記載のシステムバックガード。
【請求項５】
前記電源コンセントを前記溝カバーと前記溝との双方に取り付けるための取付金具をさらに備え、
前記取付金具は断面視においてコの字型を有している、請求項１〜４のいずれかに記載のシステムバックガード。
【請求項６】
前記バックガード本体部は、前記バックガード本体部の一方側端部側から他方側端部側へ連続的に延びるサポート品取付溝を前記表面に有している、請求項１〜５のいずれかに記載のシステムバックガード。
【請求項７】
前記バックガード本体部の上端部は、前記構造材とは反対側に突き出した、カウンターを支持固定するための支持部を含む、請求項１〜６のいずれかに記載のシステムバックガード。
【請求項８】
請求項１〜７のいずれかに記載のシステムバックガードを備えた、キッチン。
【発明の詳細な説明】
【技術分野】
【０００１】
本発明は、システムバックガードおよびキッチンに関し、特に、キッチンのワークトップの後端部の上方に設けられかつ構造材に固定されるシステムバックガードおよびそれを有するキッチンに関するものである。
【背景技術】
【０００２】
従来、システムキッチンの天板上部壁面に取付けられるシステムバックガードは、まな板立てなどの収納用アイテムが設置できるベースユニットの一部である。このシステムバックガードにより、壁面の有効活用を図ることができる。
【０００３】
このようなシステムキッチンにおいて、ワークトップ上にて調理家電を使用したい場合がある。このような場合、従来のシステムバックガードには、以下の問題がある。
【０００４】
まず壁付けキッチンの場合には、壁面にコンセントを埋め込むことが可能であるが、そのコンセントの位置がシステムバックガードより上側になる。このため、コードが障害となり、そのコードに物が引っかかって、置物が倒れるなどの可能性がある。
【０００５】
また対面キッチンの場合には、電源をリビング側などの別の場所からもってくる必要があり、作業効率が良くない。また電源コードをシステムバックガード上部から跨らせた場合には、システムバックガード上にあるカウンター上の置物が落下する危険性がある。また対面キッチンの横方向から回りこんで電源コードをもってくる場合、シンクの奥またはベースキャビネットの引き出し手前に電源コード引き回す必要がある。このため、ユーザが水によって感電したり、または電源コードで躓くなどの危険性がある。
【０００６】
このコンセントをキッチンカウンター周辺に設ける技術は、たとえば特開平１１−２７６２７０号公報（特許文献１）、特開２００８−２６７号公報（特許文献２）に開示されている。
【０００７】
なおバックガードにサポート品を固定する構造は、たとえば実公昭６２−２２２０３号公報（特許文献３）に開示されている。
【先行技術文献】
【特許文献】
【０００８】
【特許文献１】特開平１１−２７６２７０号公報
【特許文献２】特開２００８−２６７号公報
【特許文献３】実公昭６２−２２２０３号公報
【発明の概要】
【発明が解決しようとする課題】
【０００９】
しかしながら、上記の特開平１１−２７６２７０号公報および特開２００８−２６７号公報に記載のコンセントを設ける技術では、コンセントの取付位置を設置現場で変更することが難しいという問題がある。
【００１０】
本発明は、上記の解題に鑑みてなされたものであり、その目的は、コンセントの取付位置を設置現場で変更することが容易なシステムバックガードおよびキッチンを提供することである。
【課題を解決するための手段】
【００１１】
本発明のシステムバックガードは、キッチンのワークトップの後端部の上方に設けられ、かつ構造材に固定されるシステムバックガードであって、バックガード本体部と、溝カバーとを備えている。バックガード本体部は、構造材に固定可能で、かつ構造材に固定された状態で構造材とは反対側に位置する表面に溝を有している。その溝は、電源コンセントを溝の内部に配置可能に構成されている。溝カバーは、電源コンセントが配置された部分以外の溝の部分を覆うようにバックガード本体部に取付け可能である。電源コンセントにつながる電源ケーブルが溝内に挿通可能なように溝が構成されている。電源ケーブルをバックガード本体部の内部に設けられた縦穴を通して溝内からワークトップの下方側へ引き回すことができるようにバックガード本体部が構成されている。
【００１２】
本発明のシステムバックガードによれば、バックガード本体に設けられた溝内に電源コンセントが配置される。このため、電源コンセントの設置現場において、溝の長さの範囲内で電源コンセントの配置位置を決めることができる。そして、電源コンセントが配置された部分以外の溝の部分の長さに応じて溝カバーの長さを切断などにより調整して、その溝を覆うように溝カバーを取付けることができる。これにより、電源コンセントの取付位置を設置現場で容易に変更することが可能となり、また溝が溝カバーで覆われるため意匠性も向上する。
【００１３】
またバックガード本体に設けられた溝内に電源コンセントが配置されるため、ワークトップ上にて調理家電を使用したい場合に、バックガード本体の電源コンセントに調理家電の電源プラグを差し込んで使用することができる。このため、電源コードがシステムバックガードの上部の跨いだり、キッチンの横方向から回り込むことがなくなるため、電源コードによる置物の落下や、ユーザの感電、躓きなどを防止することができる。
また電源コンセントにつながる電源ケーブルが溝内に挿通可能なように溝が構成されている。これにより、電源ケーブルを溝内に挿通させた後に溝を溝カバーで覆うことにより、電源ケーブルをユーザーに見せずに隠すことができる。
また電源ケーブルをバックガード本体部の内部に設けられた縦穴を通して溝内からワークトップの下方側へ引き回すことができるようにバックガード本体部が構成されている。これにより、キッチンのベースキャビネットの下側に設けられた点検口付近まで電源ケーブルを引き回すことが可能となり、この点検口から電源ケーブルの配線などが可能となる。
【００１４】
上記のシステムバックガードにおいては、バックガード本体部を構造材に固定するための固定部材がさらに備えられており、溝は固定部材を取付けるための溝である。このように固定部材が溝内に取付けられるため、溝内に固定部材を取付けた後に溝を溝カバーで覆うことにより固定部材をユーザーに見せずに隠すことができる。
【００１５】
上記のシステムバックガードにおいては、溝は、バックガード本体部の一方側端部から他方側端部へ連続的に延びるように形成されている。これにより、電源コンセントをバックガード本体部の一方側端部と他方側端部との間の任意の箇所に配置することが可能となり、電源コンセントの配置の自由度が向上する。
【００１８】
上記のシステムバックガードにおいては、縦穴内に配置された、電源ケーブルを保護するための保護チューブがさらに備えられている。この保護チューブ内に電源ケーブルを挿通させることにより、電源ケーブルを保護チューブで保護することが可能となる。つまり現場において、電源ケーブルを縦穴を通して引き回して施工する際に、縦穴の端面によって電源ケーブルの表面が傷つくといった不具合が適切に防止される。
【００１９】
上記のシステムバックガードにおいては、電源コンセントを溝カバーと溝との双方に取付けるための取付金具がさらに備えられている。取付金具は断面視においてコの字型を有している。これにより、取付金具を溝に取付けることが可能になるとともに、電源コンセントおよび溝カバーを取付金具に取付けることが可能となる。
【００２０】
上記のシステムバックガードにおいては、バックガード本体部は、バックガード本体部の一方側端部側から他方側端部側へ連続的に延びるサポート品取付溝を表面に有している。このサポート品取付溝によりサポート品をバックガード本体部に取付けることができ、そのサポート品にたとえばまな板、布巾などを載せることができる。このためまな板、布巾などをワークトップに直接置く必要がなく、ワークトップの作業場を広く確保することができる。
【００２１】
上記のシステムバックガードにおいては、バックガード本体部の上端部は、構造材とは反対側に突き出した、カウンターを支持固定するための支持部を含んでいる。これにより支持部にカウンターを取付けることができ、カウンター上に小物を配置することができる。
【００２２】
本発明のキッチンは、上記のいずれかに記載のシステムバックガードを備えている。
【発明の効果】
【００２３】
以上説明したように本発明によれば、コンセントの取付位置を設置現場で容易に変更することができる。
【図面の簡単な説明】
【００２４】
【図１】本発明の一実施の形態におけるキッチンの構成を正面側から示す概略斜視図である。
【図２】図１に示すキッチンの構成を背面側から示す概略斜視図である。
【図３】図１に示すキッチンの構成を側面側から示す概略断面図である。
【図４】図２に示すキッチンに用いられるシステムバックガード付近の構成を概略的に示す分解斜視図である。
【図５】図４に示すシステムバックガード付近の構成を概略的に示す組立斜視図である。
【図６】図４に示すシステムバックガード内の電源コードの引き回しを説明するための正面図である。
【図７】図４に示すシステムバックガード内の保護チューブの様子およびサポート品取付けの様子を示すための概略断面図である。
【図８】電源ケーブルを保護チューブ内を通して配線した場合と、壁面から配線した場合とを示す概略斜視図である。
【図９】取付金具の構成を概略的に示す斜視図である。
【図１０】バックガード本体部に取付金具を用いて電源コンセントおよび溝カバーを取付けた状態を示す概略上面図である。
【図１１】バックガード本体部に取付金具を用いて電源コンセントおよび溝カバーを取付けた状態を示す概略正面図である。
【図１２】バックガード本体部に取付金具を用いて電源コンセントおよび溝カバーを取付けた状態を示す概略側面図である。
【発明を実施するための形態】
【００２５】
以下、本発明の実施の形態について図に基づいて説明する。
まず本実施の形態のキッチンの構成について図１〜図３を用いて説明する。
【００２６】
図１〜図３を参照して、キッチン２０は、システムバックガード１０と、カウンター１１と、化粧板１２と、構造材１３、１５と、ワークトップ１４と、キャビネット部１６とを主に有している。
【００２７】
キャビネット部１６は、キッチン２０の下部に配置されており、複数のキャビネットや食器洗い機などを有している。ワークトップ１４は、このキャビネット部１６の上に構造材１５（図３）を介在して配置されている。このワークトップ１４には、シンク（流し台）２１、ガス焜炉またはＩＨ（Induction  Heating）調理器２２、水栓などが配置されている。
【００２８】
システムバックガード１０は、ワークトップ１４の後端部の上方に設けられている。このシステムバックガード１０は、システムバックガード１０の後方に配置された構造材１３（図３）に固定されている。
【００２９】
カウンター１１は、システムバックガード１０の上部に取付けられている。キッチン２０の背面側には適宜、化粧板１２が構造材１３などに取付けられている。なおキッチン２０の背面側には、棚１７などが設けられていてもよく、また背面全体が棚からなっていてもよい。
【００３０】
次に、上記キッチン２０に用いられる本実施の形態のシステムバックガード１０の構成について図４および図５を用いて説明する。
【００３１】
図４を参照して、本実施の形態のシステムバックガード１０は、バックガード本体部１と、固定部材２と、溝カバー３と、１対の取付金具４、４と、電源コンセント５と、コンセントカバー６と、保護チューブ７とを主に有している。
【００３２】
バックガード本体部１は、構造材１３に固定可能で、かつ構造材１３に固定された状態で構造材１３側とは反対側に位置する表面に溝１ａを有している。バックガード本体部１は、上端部に支持部１ｂを有している。この支持部１ｂは、その上部にカウンター１１を支持固定するためのものであり、構造材１３側とは反対側へ突き出している。
【００３３】
固定部材２は溝１ａ内でバックガード本体部１を構造材１３に固定するためのものである。つまり溝１ａは固定部材２を取付けるための溝である。この固定部材２は、たとえばネジ、釘、くさびなどの部材であり、バックガード本体部１を構造材１３に固定できるものであればよい。また複数個の固定部材２によってバックガード本体部１が構造材１３に固定されていてもよい。
【００３４】
１対の取付金具４、４の各々は、溝１ａ内にてネジなどの固定部材２によりバックガード本体部１に取付けられている。電源コンセント５および溝カバー３の各々は、この取付金具４にネジなどにより取付可能であり、取付金具４を介在してバックガード本体部１に取付け可能である。この取付金具４による電源コンセント５と溝カバー３との取付構造については後述する。
【００３５】
電源コンセント５は、取付金具４に取付けられた状態で、溝１ａ内に配置されている。具体的には、電源コンセント５はプラグ差込口５ａを有しており、そのプラグ差込口５ａが構造材１３側とは反対側に向くように溝１ａ内に配置されている。コンセントカバー６は、電源コンセント５の表面を覆うように構成されており、電源コンセント５の表面を覆った状態でプラグ差込口５ａを外部に露出するための開口を有している。
【００３６】
溝カバー３は、電源コンセント５が配置された部分以外の溝１ａの部分を覆うようにバックガード本体部１に取付け可能である。この溝カバー３は溝１ａの幅よりも少し大きい幅を有している。上記のバックガード本体部１および溝カバー３は、たとえばアルミニウムなどの金属製または樹脂製の押出し材により形成されている。
【００３７】
バックガード本体部１は内部に縦穴９を有している。この縦穴９は、バックガード本体部１の上下方向に延びて溝１ａからバックガード本体部１の下端部まで貫通するように設けられている。保護チューブ７は、この縦穴９内に配置されており、電源コンセント５につながる電源ケーブル（図示せず）を内部に挿通することにより保護するためのものである。
【００３８】
バックガード本体部１に、固定部材２、取付金具４、電源コンセント５、溝カバー３、コンセントカバー６などが組み付けられた状態は、図５に示すようになる。図５を参照して、本実施の形態では、溝１ａ内の任意の位置に電源コンセント５を配置することができる。そして、この電源コンセント５が配置された部分以外の溝１ａの部分を溝カバー３により覆うことができる。
【００３９】
なお電源コンセント５につながる電源ケーブル８は、図５〜図７に示すように、電源コンセント５から溝１ａ内に挿通され、この溝１ａ内から縦穴９を通してバックガード本体部１の下端部より下方側に引き回される。この際、電源ケーブル８は、縦穴９内に配置された保護チューブ７内に挿通されることにより、電源ケーブル８は保護チューブ７により保護される。つまり現場において、電源ケーブル８を縦穴９を通して引き回して施工する際に、縦穴９の端面によって電源ケーブル８の表面が傷つくといった不具合が適切に防止される。
【００４０】
ここで縦穴９は、図８に示すように縦穴９の延びる方向（上下方向）に複数の板が介在する場合には、その複数の板の各々に設けられた穴９ａ、９ｂ、９ｃにより構成されている。これらの穴９ａ、９ｂ、９ｃの各々は、上下方向に一直線上に並んで配置されていることが好ましい。また縦穴９を構成する穴９ａ、９ｂ、９ｃは３つに限定されるものではない。
【００４１】
上記においてこの溝１ａは、システムバックガード１０（またはバックガード本体部１）の一方側端部１０ａ（図１、図２）から他方側端部１０ｂ（図１）まで途切れることなく連続的に延びるように形成されていてもよい。また溝１ａは、一方側端部１０ａから他方側端部１０ｂへ向かう方向（横方向）に延びている場合、一方側端部１０ａおよび他方側端部１０ｂに達していてもよいが、達していなくてもよい。溝１ａは、ワークトップ１４の少なくとも作業場（図１に示すシンク２１と焜炉など２２との間）の後側に配置されていることがユーザの作業のしやすさの点から好ましい。
【００４２】
また溝１ａは、上記横方向ではなく、ワークトップ１４からカウンター１１へ向かう方向（上下方向）に延びていてもよい。つまり溝１ａは、電源コンセント５を溝１ａ内で溝１ａの延びる方向に沿って移動可能な所定長さを有していればよく、その溝１ａの所定長さおよび延びる方向は特に限定されるものではない。
【００４３】
またバックガード本体部１は、構造材１３に固定された状態で構造材１３側とは反対側に位置する表面にサポート品取付溝１ｃを有していることが好ましい。このサポート品取付溝１ｃは、上部に下垂体１ｄを有している。図７に示すように、この下垂体１ｄにサポート品３０の端部を引っ掛けて係合させることにより、サポート品３０をサポート品取付溝１ｃに着脱自在に取付け可能である。このサポート品３０には、まな板や布巾、その他の調理具３１を載置することができる。
【００４４】
このサポート品取付溝１ｃも、上記溝１ａと同様、システムバックガード１０（またはバックガード本体部１）の一方側端部１０ａ（図１、図２）から他方側端部１０ｂ（図１）まで途切れることなく連続的に延びるように形成されていてもよい。またサポート品取付溝１ｃは、一方側端部１０ａから他方側端部１０ｂへ向かう方向（横方向）に延びている場合、一方側端部１０ａおよび他方側端部１０ｂに達していてもよいが、達していなくてもよい。
【００４５】
次に、上記の実施の形態における取付金具４による溝１ａへの電源コンセント５と溝カバー３との取付けについて図９〜図１２を用いて説明する。
【００４６】
図９を参照して、取付金具４は、溝側取付部４ａと、コンセント取付部４ｂと、接合部４ｃとを有している。溝側取付部４ａとコンセント取付部４ｂとは互いに平行に延びており、接合部４ｃは溝側取付部４ａとコンセント取付部４ｂとを繋いでいる。これにより、取付金具４は、図中破線で示すように断面視においてコの字型の形状を有している。溝側取付部４ａおよびコンセント取付部４ｂの各々には、ネジなどを通すための穴４ａ1、４ｂ1が設けられている。
【００４７】
図１０〜図１２を参照して、取付金具４は、溝側取付部４ａの穴４ａ1を通したネジなどをバックガード本体部１および構造材１３にねじ込むなどすることにより溝１ａに取付けられている。この溝１ａに取付けられた取付金具４のコンセント取付部４ｂに溝カバー３の端部と電源コンセント５の取付部５ｂとが重ね合わされている。この重ね合わされた状態で、コンセント取付部４ｂの穴４ｂ1、溝カバー３の穴３ｂ1、および電源コンセント５の取付部５ｂの穴５ｂ1にネジなどがねじ込まれることにより、取付金具４に電源コンセント５と溝カバー３とが取付けられている。また溝カバー３は、溝１ａに嵌め込み固定されることにより、バックガード本体部１に直接係合されていてもよい。なお図１０〜図１２では図示していないが、コンセント５の取付部５ｂなどは、コンセントカバー６で覆われるため意匠性も向上する。
【００４８】
このようにして取付金具４を用いることによって、溝１ａに電源コンセント５と溝カバー３とが取付けられている。
【００４９】
次に、本実施の形態の作用効果について説明する。
本実施の形態のシステムバックガード１０によれば、図４に示すように、バックガード本体部１に設けられた溝１ａ内に電源コンセント５が配置される。このため、電源コンセント５の設置現場において、溝１ａの長さの範囲内で電源コンセント５の配置位置を決めることができる。そして、電源コンセント５の配置位置以外の溝１ａの部分の長さに応じて溝カバー３の長さを切断などにより調整して、その溝１ａを覆うように溝カバー３を取付けることができる。これにより、電源コンセント５の取付位置を設置現場で容易に変更することが可能となり、また溝１ａが溝カバー３で覆われるため意匠性も向上する。
【００５０】
またバックガード本体部１に設けられた溝１ａ内に電源コンセント５が配置されるため、ワークトップ１４上にて調理家電を使用したい場合に、バックガード本体部１の電源コンセント５に調理家電の電源プラグを差し込んで使用することができる。このため、電源コードがシステムバックガード１０の上部の跨いだり、キッチン２０の横方向から回り込むことがなくなるため、電源コードによる置物の落下や、ユーザの感電、躓きなどを防止することができる。
【００５１】
また図４および図５に示すように、固定部材２が溝１ａ内に取付けられた後に溝１ａが溝カバー３で覆われることにより、固定部材２をユーザーに見せずに隠すことができる。これによりさらに意匠性を向上させることができる。
【００５２】
また溝１ａが、バックガード本体部１の一方側端部１０ａ（図１、図２）から他方側端部１０ｂ（図１）へ連続的に延びるように形成されている場合には、電源コンセント５をバックガード本体部１の一方側端部１０ａと他方側端部１０ｂとの間の任意の箇所に配置することが可能となり、電源コンセント５の配置の自由度が向上する。
【００５３】
また図５および図６に示すように、電源コンセント５につながる電源ケーブル８が溝１ａ内に挿通可能に溝１ａが構成されている。これにより、電源ケーブル８が溝１ａ内に挿通された後に溝１ａが溝カバー３で覆われることにより、電源ケーブル８をユーザーに見せずに隠すことができる。これにより電源ケーブル８がシステムバックガード１０の外部に配置されることによる不都合を防止できると共に、さらに意匠性を向上させることができる。
【００５４】
また図８に示すように壁面から溝１ａ内に電源ケーブル８を配線した場合、電源ケーブルの長さが長くなるとともに、手の届かない部分に電源ケーブル８が配線されるため施工が困難となる。これに対して本実施の形態では、図５〜図８に示すように、電源ケーブル８をバックガード本体部１の内部に設けられた縦穴９（９ａ、９ｂ、９ｃ）を通して溝１ａ内からワークトップ１４の下方側へ引き回すことができる。これにより、キッチン２０のキャビネット部１６の下側に設けられた点検口付近まで電源ケーブル８を引き回すことが可能となり、この点検口から電源ケーブル８の配線などが可能となる。これにより施工が容易になるとともに電源ケーブル８の長さを短くすることもできる。
【００５５】
また縦穴９（９ａ、９ｂ、９ｃ）内に保護チューブ７が配置されている。この保護チューブ７内に電源ケーブル８を挿通させることにより、電源ケーブル８を保護チューブ７で保護することが可能となる。
【００５６】
また図９の破線で示すように取付金具４が断面視においてコの字型を有しているため、この取付金具４を溝１ａに取付けることが可能になるとともに、取付金具４に電源コンセント５および溝カバー３を取付けることも可能となる。
【００５７】
また図７に示すように、バックガード本体部１がサポート品取付溝１ｃを表面に有しているため、このサポート品取付溝１ｃによりサポート品３０をバックガード本体部１に着脱自在に取付けることができる。このサポート品３０にたとえばまな板、布巾などを載せることができるため、まな板、布巾などをワークトップ１４上に直接置く必要がなく、ワークトップ１４の作業場を広く確保することができる。
【００５８】
また図４に示すように、バックガード本体部１の上端部が構造材１３側とは反対側へ突き出した支持部１ｂを含んでいる。これにより、この支持部１ｂにカウンター１１を取付けることができ、カウンター１１上に小物を配置することができる。
【００５９】
なお電源コンセント５の配置が不要な場合には、溝１ａの全体を溝カバー３で覆うことも可能である。
【００６０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００６１】
本発明は、システムキッチンなどのシステムバックガードおよびそれを用いたキッチンなどに有利に適用され得る。
【符号の説明】
【００６２】
１  バックガード本体部、１ａ  溝、１ｂ  支持部、１ｃ  サポート品取付溝、１ｄ  下垂体、２  固定部材、３  溝カバー、３ｂ1  穴、４  取付金具、４ａ  溝側取付部、４ｂ  コンセント取付部、４ｃ  接合部、４ａ1，４ｂ1，５ｂ1，９ａ  穴、５  電源コンセント、５ａ  プラグ差込口、５ｂ  取付部、６  コンセントカバー、７  保護チューブ、８  電源ケーブル、９  縦穴、１０  システムバックガード、１０ａ  一方側端部、１０ｂ  他方側端部、１１  カウンター、１２  化粧板、１３，１５  構造材、１４  ワークトップ、１６  キャビネット部、１７  棚、２０  キッチン、２１  シンク、２２  調理器、３０  サポート品、３１  調理具。
【図１】
0005808179.tif 000002
【図２】
0005808179.tif 000003
【図３】
0005808179.tif 000004
【図４】
0005808179.tif 000005
【図５】
0005808179.tif 000006
【図６】
0005808179.tif 000007
【図７】
0005808179.tif 000008
【図８】
0005808179.tif 000009
【図９】
0005808179.tif 000010
【図１０】
0005808179.tif 000011
【図１１】
0005808179.tif 000012
【図１２】
0005808179.tif 000013